【事件の表示】
　特願２０１６−２４９７１３「利得切替可能な光増幅器」拒絶査定不服審判事件〔平成２９年　３月２３日出願公開、特開２０１７−　５９８５７〕について、次のとおり審決する。
【結　論】
　本件審判の請求は、成り立たない。
【理　由】
１　手続の経緯
　本願は、２０１４（平成２６年）１２月１９日（優先権主張：２０１３年（平成２５年）１２月２０日）に出願した特願２０１４−２５７２１０号の一部を、２０１６年（平成２８年）１２月２２日に新たな特許出願とした出願であって、２０１８年（平成３０年）３月２日付けで拒絶理由が通知され、２０１８年（平成３０年）８月１３日に意見書が提出されるとともに手続補正がされ、２０１９年（平成３１年）１月８日付けで拒絶査定がされ、これに対して２０１９年（令和１年）５月２１日に審判請求がされると同時に手続補正がされたものである。
２　本願発明
　本願発明は、令和１年５月２１日にされた手続補正により補正された特許請求の範囲の請求項１〜１７に記載されている事項により特定されるとおりのものであり、そのうち請求項６に係る発明は、特許請求の範囲の請求項６に記載されている事項により特定される以下のとおりのもの（以下「本願発明」という。）である。
　なお、当該請求項６は、上記手続補正により補正されていない。
「
　光増幅器であって、
　入力ポートと、
　前記入力ポートに光学的に結合されたバークロススイッチと、
　前記バークロススイッチの第1のポートと出力ポートとの間に光学的に結合された第1の利得段と、
　前記バークロススイッチの第2のポートと第3のポートとの間に光学的に結合された二次利得段であって、前記二次利得段は、アイソレータの周囲に結合された、２つのポンプ波長WDMを含むポンプバイパス構造を具備する、二次利得段と
を備え、
　前記第1の利得段は、前記第1のポートと光学的に接続された第1の利得平坦化フィルタ（GFF）を具備し、
　前記バークロススイッチのバー状態では、前記二次利得段がバイパスされ、クロス状態では、前記二次利得段および前記第1の利得段が入力光ビームに適用され、
　前記バークロススイッチが、後続の利得段の希土類ドープファイバをポンプするために残余ポンプ光が使用され得るように、ポンプ光と光信号の両方を通過させるように構成されていることを特徴とする、光増幅器。」
３　原査定の拒絶の理由
　原査定の拒絶の理由は、本願発明は、本願の優先権主張の日前に頒布された下記の刊行物に記載された発明又は電気通信回線を通じて公衆に利用可能となった発明に基づいて、その出願前に当業者が容易に発明をすることができたものであるから、特許法第２９条第２項の規定により特許を受けることができない、というものである。 
  
　引用例１：特開２０１１−２４３８０３号公報 
　引用例２：国際公開第２００５／０１８０６５号
　周知例３：特開２００３−２９８１５７号公報
４　引用発明の認定
（１）引用例１：特開２０１１−２４３８０３号公報
ア
（ア）
　原査定において引用され、本願の原出願の優先日前に日本国内において頒布された特開２０１１−２４３８０３号公報（以下「引用例１」という。）には、図１、３とともに以下の記載がある。（下線は当審で付加。以下同様。）
「【０００２】
　１波長の信号光、または複数の波長を多重化した信号光の信号パワーを増幅する装置として、希土類金属のエルビウムを添加したエルビウム添加ファイバ（ＥＤＦ（Erbium Doped Fiber））（以下、「ＥＤＦ」と呼ぶ）を用いた光ファイバ増幅装置がある。そして、このＥＤＦ内に信号光を増幅可能とするエネルギー状態を形成するため、当該ＥＤＦにエネルギーを付与する励起レーザを含む光部品群（以下、「光モジュール」とも呼ぶ）を主体として備えた構成の光ファイバ増幅装置がよく知られている。この光ファイバ増幅装置から出力される信号光の信号パワーの強度は、ＥＤＦのファイバ長および励起レーザ（以下、「ＬＤ」とも呼ぶ）のパワー強度に大きく依存する。
・・・（中略）・・・
【０００４】
　ここで、一般的な光ファイバ増幅装置の構成について、図６を参照して説明する。なお、図６に示す光ファイバ増幅装置５の構成は、後述する本発明の光ファイバ増幅装置と基本的な構成部分が同じであるため、ここで、その構成と動作について説明しておく。
　図６に示す光ファイバ増幅装置５は、光部品群と励起レーザとで構成され、伝送する信号光を増幅する光モジュール部１００Ｂと、この光モジュール部１００Ｂを制御する電子制御部２００Ｂと、に分類することができる。
【０００５】
　光モジュール部１００Ｂは、光コネクタ１０１及び１０２と、光カプラ１１１〜１１４と、光検出器であるＰＤ１０４及び１０５と、信号光を光直接増幅する媒体であるＥＤＦ１０３と、励起レーザであるＬＤ１０６及びＬＤ１０７とで構成される。
　この光モジュール部１００Ｂにおいては、光コネクタ１０１とＥＤＦ１０３の入力端とが光ファイバの伝送路１１５を通して接続され、また、ＥＤＦ１０３の出力端は、光ファイバの伝送路１１６を通して光コネクタ１０２に接続される。この光ファイバの伝送路１１５上には、光検出器であるＰＤ１０４に信号光を分波するための光カプラ１１１と、励起レーザであるＬＤ１０６から出力される励起光を合波するための光カプラ１１２とが設けられている。また、光ファイバの伝送路１１６上には、光検出器であるＰＤ１０５に信号光を分波するための光カプラ１１４と、励起レーザであるＬＤ１０７から出力される励起光を合波するための光カプラ１１３とが設けられている。
【０００６】
　光カプラ１１１はＰＤ１０４と光ファイバにより接続されており、光カプラ１１１により分波された光信号がＰＤ１０４に入力される。ＰＤ１０４は、光カプラ１１１から入力される光信号を検出することにより、光コネクタ１０１から光モジュール部１００Ｂに入力される光信号のパワー強度を検出する。また、光カプラ１１４はＰＤ１０５と光ファイバにより接続されており、光カプラ１１４により分波された光信号がＰＤ１０５に入力される。ＰＤ１０５は、光カプラ１１４から入力される光信号を検出することにより、光コネクタ１０２から出力される信号光のパワー強度を検出する。
　また、光カプラ１１２はＬＤ１０６と光ファイバにより接続されており、この光カプラ１１２を通して、ＬＤ１０６から出力される励起光をＥＤＦ１０３に注入する。また、光カプラ１１３はＬＤ１０７と光ファイバにより接続されており、この光カプラ１１３を通して、ＬＤ１０７から出力される励起光をＥＤＦ１０３に注入する。」
「【００１４】
　本発明は上記課題を解決するためになされたものであり、本発明の光ファイバ増幅装置は、入力した信号光を第１のＥＤＦにより増幅する光ファイバ増幅装置に、前記第１のＥＤＦのファイバ長を増大させるための増設用の第２のＥＤＦと、前記信号光の伝送経路を変更するための光スイッチとを追加し、前記光スイッチを制御することにより、前記第１のＥＤＦに前記増設用の第２のＥＤＦを直列に接続して信号光を伝送するか、または、前記増設用の第２のＥＤＦを迂回して信号光を伝送するかを選択することを特徴とする。
　本発明の光ファイバ増幅装置においては、増設用の第２のＥＤＦと光スイッチとを追加し、この光スイッチを制御することにより、常時使用される第１のＥＤＦ（固定的に使用されるＥＤＦ）と増設用の第２のＥＤＦと直列に接続し、この増設用の第２のＥＤＦによりファイバ長を延長して光信号を増幅するか、または、増設用の第２のＥＤＦを迂回し、第１のＥＤＦのみより光信号を増幅するかを選択可能にする。
　これにより、運用状態においても信号光を遮断することなく、光ファイバ増幅装置の光増幅強度を増大させることができる。
【発明の効果】
【００１５】
　本発明の光ファイバ増幅装置においては、第１のＥＤＦに対して、第１のＥＤＦのファイバ長を増大させるための増設用の第２のＥＤＦを直列に接続して光信号を伝送するか、または、増設用の第２のＥＤＦを迂回して信号光を伝送するかを、光スイッチにより選択できるようにしたので、これにより、信号光を遮断することなく光増幅強度を増大できる光ファイバ増幅装置を提供できる。」
「【００１７】
　以下、本発明の光ファイバ増幅装置の実施の形態について、図面を参照して説明する。
　図１は、本発明の実施形態に係わる光ファイバ増幅装置の構成を示す図である。図１に示す光ファイバ増幅装置１は、本発明の代表的な構成例として、ＥＤＦを用いた光直接増幅器の例を示したものである。
　図１に示す光ファイバ増幅装置１が、図６に示す一般的な光ファイバ増幅装置５と構成上異なるのは、図６に示す光ファイバ増幅装置５に、図１に示す光スイッチ１０８と、光スイッチ１０９と、符号１２０で示すＥＤＦ増設ポートＸ１とを新たに追加した点である。このＥＤＦ増設ポートＸ１には、符号１３０で示す増設ＥＤＦモジュールＺ１が挿入される。他の構成は図６に示す光ファイバ増幅装置４と同様である。このため、同一の構成部分には同一の符号を付している。
【００１８】
　図１に示す光ファイバ増幅装置１において、光モジュール部１００では、
光コネクタ１０１から信号光を入力し、ＥＤＦ１０３（またはＥＤＦ１０３と
ＥＤＦ１３３）により信号光を増幅し、この増幅された信号光を光コネクタ１０２から出力
ＥＤＦ１０３とＥＤＦ１３３は信号光を光直接増幅する媒体である
励起レーザであるＬＤ１０６及びＬＤ１０７は、ＥＤＦ１０３に励起光を注入すると共に、
ＥＤＦ１３３に励起光を注入
【００１９】
　
光スイッチ１０８及び光スイッチ１０９は、信号光および励起光の伝送方向を切り替えるための光スイッチ
【００２０】
　また、増設ＥＤＦモジュールＺ１は、ＥＤＦ増設ポートＸ１の光コネクタ１２１と接続するための光コネクタ１３１と、ＥＤＦ増設ポートＸ１の光コネクタ１２２と接続するための光コネクタ１３２とを有している。この増設ＥＤＦモジュールＺ１は、光増幅強度を増大させるためのＥＤＦ１３３が搭載されており、このＥＤＦ１３３の入力端は光コネクタ１３１に、出力端は光コネクタ１３２に接続されている。
【００２１】
　また、
上記光スイッチ１０８は、１つの入力ポートＣＭと２つの出力ポートＡ、Ｂとを有し、入力ポートＣＭから入力された信号光を２つの出力ポートＡ、Ｂの内のいずれかのポートを選択して出力する、１×２の光インターフェースを有する光スイッチである
光スイッチ１０９は、２つの入力ポートＣ、Ｄと１つの出力ポートＣＭとを有し、２つの入力ポートＣ、Ｄの内のいずれかのポートから入力される信号光を選択して１つの出力ポートＣＭに出力する、２×１の光インターフェースを有する光スイッチである
（当審注：末尾にある「２×１の光インターフェースを有する光イッチである」は「２×１の光インターフェースを有する光スイッチである」の明らかな誤記であると認められるので、誤記を正した上で認定した。）
【００２２】
　
この光スイッチ１０８の入力ポートＣＭにＥＤＦ１０３の出力端が接続され、光スイッチ１０８の出力ポートＡは、
ＥＤＦ１３３の入力端に接続される。光スイッチ１０８の出力ポートＢは、光スイッチ１０９の入力ポートＤに接続される。また、光スイッチ１０９の入力ポートＣは、
ＥＤＦ１３３の出力端に接続される。光スイッチ１０９の入力ポートＤは、光スイッチ１０８の出力ポートＢに接続される
【００２３】
　また、電子制御部２００内の変換部２０１は、光検出器ＰＤ１０４から出力される光電流の信号を数値データ化するための変換回路であり、変換部２０２は、光検出器ＰＤ１０５から出力される光電流の信号を数値データ化するための変換回路である。ＬＤ制御部２０３は、ＬＤ１０６から出力される励起光パワーを制御するための回路であり、ＬＤ制御部２０４は、ＬＤ１０７から出力される励起光パワーを制御するための回路である。演算制御部２１１は、変換部２０１及び変換部２０２から出力される光信号の数値データを受信し、信号光を増幅するために必要な励起光パワーを算出し、制御線Ｓを通してＬＤ制御部２０３及びＬＤ制御部２０４に制御データを設定するための演算制御部である。また、演算制御部２１１は、光スイッチ１０８と制御線Ｓ１で接続されており、この制御線Ｓ１を通して、光スイッチ１０８におけるポート切り替えを制御する。同様に、演算制御部２１１は、光スイッチ１０９と制御線Ｓ２で接続されており、この制御線Ｓ２を通して、光スイッチ１０９におけるポート切り替えを制御する。
【００２４】
　図１に示す光ファイバ増幅装置１の構成において、光スイッチ１０８はＥＤＦ１０３から入力される信号光を、ＥＤＦ増設ポートＸ１の光コネクタ１２１に出力するか、またはＥＤＦ増設ポートＸ１を迂回して光スイッチ１０９のポートＤに出力するかを選択する。光スイッチ１０９は、ＥＤＦ増設ポートＸ１の光コネクタ１２２から入力される信号光、または光スイッチ１０８のポートＢから入力される信号光のいずれか選択し、光コネクタ１０２から出力する。
【００２５】
　光ファイバ増幅装置１が、初期の光増幅強度で信号光を増幅している運用状態においては、光スイッチ１０８のポートＢ、光スイッチ１０９のポートＤを選択することにより、ＥＤＦ１０３だけで増幅された信号光を光コネクタ１０２から出力される。ここで、光ファイバ増幅装置１の信号光パワーの光増幅強度を増大させる場合、ＥＤＦ増設ポートＸ１に増設ＥＤＦモジュールＺ１を実装し、光スイッチ１０８のポートＡ、光スイッチ１０９のポートＣを選択する。これにより、増設ＥＤＦモジュールＺ１（１３０）に、信号光と、ＬＤ１０６及びＬＤ１０７からの励起光パワーとが流入し、ＥＤＦ１０３と、増設ＥＤＦモジュールＺ１内のＥＤＦ１３３の両方で信号光が増幅される。このように、本発明の光ファイバ増幅装置１では、光スイッチ１０８及び１０９を制御することにより、運用状態においても信号光を遮断することなく、光ファイバ増幅装置１における光増幅強度を増大させることが可能となる。
・・・（中略）・・・
【００２７】
　また、ＬＤ１０６及びＬＤ１０７は、ＥＤＦ１０３及び増設ＥＤＦモジュールＺ１内のＥＤＦ１３３の光増幅強度が大きくない場合、どちらか一方を削除する構成としてよい。そして、ＬＤ１０６を削除する場合は光カプラ１１２を、ＬＤ１０７を削除する場合は光カプラ１１３を削除することができる。また、信号光のパワーをモニタする必要が無い場合、ＰＤ１０４およびＰＤ１０５のいずれか一方、または両方を削除する構成とすることもできる。そして、ＰＤ１０４を削除する場合は光カプラ１１１を、ＰＤ１０５を削除する場合は光カプラ１１４を削除することができる。
【００２８】
　また、図１に示す例では、光スイッチ１０８及び光スイッチ１０９は、１×２及び２×１の光インターフェースを有する光スイッチで構成されているが、信号光の伝送方向を切り替えることが可能な構成な光スイッチであれば、どのような構成のものであってもよい。また、光スイッチ１０８及び１０９の制御方式については、演算制御部２１１からのスイッチ切り替え制御が可能な方式であれば、どのような制御方式を用いてもよい。」
「【００３２】
　また、ＥＤＦ１０３及び増設ＥＤＦモジュールＺ１内のＥＤＦ１３３の前後に、信号光の信号品質を維持するために光利得等化器（ＧＥＱ）、光減衰器（ＶＯＡ）、光利得傾斜器（ＶＡＳＫ）、光アイソレータ等の光デバイスを接続する構成とすることもできる。なお、光デバイスを用いた光ファイバ増幅装置の特性、および機能などは当業者にとって良く知られており、また本発明とは直接関係しないので、その詳細は省略する。なお、信号光パワーおよび励起光パワーが低減しないように、光スイッチ１０８、光スイッチ１０９、光カプラ１１１、光カプラ１１２、光カプラ１１３、及び光カプラ１１４の光学的損失は出来るだけ小さい方が良い。同様に、光コネクタ１０１、光コネクタ１０２、光コネクタ１２１、光コネクタ１２２、光コネクタ１３１、及び光コネクタ１３２の光学的損失は出来るだけ小さい方が良い。」
「【００４０】
［第２の実施形態］
　次に、本発明の第２の実施形態について説明する。図３は、本発明の第２の実施形態に係わる光ファイバ増幅装置の構成を示す図である。図３に示す
光ファイバ増幅装置２
更に、光スイッチ１４１と、光スイッチ１４２と、符号１５０で示すＥＤＦ増設ポートＸ２とを追加した
【００４１】
　この光ファイバ増幅装置２では、ＥＤＦ増設ポートＸ２内に、符号１６０で示す増設ＥＤＦモジュールＺ２を実装するように構成されている。この光ファイバ増幅装置２においては、ＥＤＦ増設ポートＸ２内に増設ＥＤＦモジュールＺ２を装着し、ＥＤＦ増設ポートＸ１内に増設ＥＤＦモジュールＺ１を装着する。これにより、増設ＥＤＦモジュールＺ１内のＥＤＦ１３３と、増設ＥＤＦモジュールＺ２内のＥＤＦ１６３とを直列に接続することにより、信号光の光増幅強度をより増大可能な構成にしている。
【００４２】
　図３に示す光ファイバ増幅装置２において、ＥＤＦ増設ポートＸ２は、ＥＤＦ増設ポートＸ１と同等の機能を持つものであり、このＥＤＦ増設ポートＸ２に、光ファイバ増幅装置２の光増幅強度を増大させるための増設ＥＤＦモジュールＺ２（１６０）が実装される。このＥＤＦ増設ポートＸ２は、増設ＥＤＦモジュールＺ２の光コネクタ１６１と接続するための光コネクタ１５１と、増設ＥＤＦモジュールＺ２の光コネクタ１６２と接続するための光コネクタ１５２とを備えている。
【００４３】
　上記光スイッチ１４１は、１つの入力ポートＣＭと２つの出力ポートＥ、Ｆとを有し、入力ポートＣＭから入力された信号光を２つの出力ポートＥ、Ｆの内のいずれかのポートを選択して出力する、１×２の光インターフェースを有する光スイッチである。この光スイッチ１４１は、演算制御部２１１と制御線Ｓ３で接続され、演算制御部２１１からの制御信号により、ポートの切り替えが行われる。また、光スイッチ１４２は、２つの入力ポートＧ、Ｈと１つの出力ポートＣＭとを有し、２つの入力ポートＧ、Ｈの内のいずれかのポートから入力される信号光を選択して１つの出力ポートＣＭに出力する、２×１の光インターフェースを有する光スイッチである。この光スイッチ１４２は、演算制御部２１１と制御線Ｓ４で接続され、演算制御部２１１からの制御信号により、ポートの切り替え行われる。
（当審注：第３文の「２×１の光インターフェースを有する光イッチである」は「２×１の光インターフェースを有する光スイッチである」の明らかな誤記であると認められるので、誤記を正した上で認定した。）
【００４４】
　この光スイッチ１４１では、入力ポートＣＭが、光スイッチ１０９の出力ポートＣＭに接続され、光スイッチ１４１の出力ポートＦが、光スイッチ１４２の入力ポートＨに接続され、光スイッチ１４１のポートＥが、ＥＤＦ増設ポートＸ２の光コネクタ１５１に接続されている。また、光スイッチ１４２の入力ポートＧが、ＥＤＦ増設ポートＸ２の光コネクタ１５２と接続され、光スイッチ１４２の入力ポートＨが、光スイッチ１４１のポートＦと接続され、光スイッチ１４２の出力ポートＣＭが光カプラ１１３の入力端に接続されている。
  また、増設ＥＤＦモジュールＺ２は、ＥＤＦ増設ポートＸ２に装着された状態において、光コネクタ１６１がＥＤＦ増設ポートＸ２の光コネクタ１５１と接続され、光コネクタ１６２がＥＤＦ増設ポートＸ２の光コネクタ１５２と接続される。
【００４５】
　図３に示す光ファイバ増幅装置２では、まず初期構成において演算制御部２１１により光スイッチ１４１及び光スイッチ１４２を制御し、光スイッチ１４１のポートＦ、および光スイッチ１４２のポートＨを選択しておく。そして、初期構成の運用状態から、ＥＤＦ増設ポートＸ１に増設ＥＤＦモジュールＺ１を実装して拡張構成の運用状態とした後に、更に光ファイバ増幅装置２の光増幅強度を増大したい場合は、ＥＤＦ増設ポートＸ２に増設ＥＤＦモジュールＺ２を実装する。
　そして、演算制御部２１１から光スイッチ１４１及び光スイッチ１４２を制御し、光スイッチ１４１のポートＥおよび光スイッチ１４２のポートＧを選択する。この構成により、
ＥＤＦ１０３と、ＥＤＦ１３３と、ＥＤＦ１６３とがあたかも直列に接続される構成となり、これらのＥＤＦ１０３、１３３、１６３のそれぞれにＬＤ１０６及びＬＤ１０７から励起光を注入することが可能となる。これにより、ＥＤＦ１０３と、ＥＤＦ１３３と、ＥＤＦ１６３とを用いて信号光を増幅する
【００４６】
　上記構成により、光ファイバ増幅装置２が増設ＥＤＦモジュールＺ１を用いた拡張構成にて運用状態であっても、更に増設ＥＤＦモジュールＺ２を増設することが可能となり、信号光を遮断することなく、光増幅強度を増大させることが可能となる。なお、第２の実施形態では、ＥＤＦ増設ポートＸ１とＥＤＦ増設ポートＸ２とを２段に直列に接続する構成例を示したが、更に拡張して、ＥＤＦ増設ポートを多段（３段以上）に直列に接続する構成とすることもできる。この場合、多段のＥＤＦ増設ポートに対して、所望の個数の増設ＥＤＦモジュールを装着することにより、光ファイバ増幅装置における増幅強度を可変に設定することができる。」
　ここで、図１は以下のものである。
　また、図３は以下のものである。
（イ）
　ここで、図１から、
光カプラ１１３は、
光コネクタ１０２に接続され
　図３からも同様の事項が見て取れる。
　また、図３から、
ＬＤ１０６は光カプラ１１２を介してＥＤＦ１０３に接続され、ＬＤ１０７は光カプラ１１３を介して光スイッチ１４２に接続される
（ウ）
ａ　【００２０】の記載及び図３の記載から、「ＥＤＦ増設ポートＸ１の光コネクタ１２１」は「ＥＤＦ１３３の入力端」に接続されている。
　同様に、【００２０】の記載及び図３の記載から、「ＥＤＦ増設ポートＸ１の光コネクタ１２２」は「ＥＤＦ１３３の出力端」に接続されている。
ｂ　他方【００２４】には
「光スイッチ１０８はＥＤＦ１０３から入力される信号光を、ＥＤＦ増設ポートＸ１の光コネクタ１２１に出力するか、またはＥＤＦ増設ポートＸ１を迂回して光スイッチ１０９のポートＤに出力するかを選択する。光スイッチ１０９は、ＥＤＦ増設ポートＸ１の光コネクタ１２２から入力される信号光、または光スイッチ１０８のポートＢから入力される信号光のいずれか選択し、光コネクタ１０２から出力する。」と記載されているところ、この記載は、光スイッチ１０８及び光スイッチ１０９の接続関係をＥＤＦ増設ポートＸ１、光コネクタ１２１及び光コネクタ１２２を用いて説明していると解される。
　そこで、上記ａで認定したＥＤＦ増設ポートＸ１、光コネクタ１２１及び光コネクタ１２２とＥＤＦ１３３との関係を用いて、上記【００２４】の記載を「ＥＤＦ増設ポートＸ１」を用いずに「ＥＤＦ１３３」を用いて整理すると、「
光スイッチ１０８はＥＤＦ１０３から入力される信号光を、ＥＤＦ１３３の入力端に出力するか、またはＥＤＦ１３３を迂回して光スイッチ１０９のポートＤに出力するかを選択する。光スイッチ１０９は、ＥＤＦ１３３の出力端から入力される信号光、または光スイッチ１０８のポートＢから入力される信号光のいずれか選択し、光コネクタ１０２から出力
（エ）
　「更に、光スイッチ１４１と、光スイッチ１４２と、符号１５０で示すＥＤＦ増設ポートＸ２とを追加し（【００４０】）」との記載と、「ＥＤＦ増設ポートＸ２内に、符号１６０で示す増設ＥＤＦモジュールＺ２を実装し、これにより、増設ＥＤＦモジュールＺ１内のＥＤＦ１３３と、増設ＥＤＦモジュールＺ２内のＥＤＦ１６３とを直列に接続し（【００４１】）」との記載をまとめると、「
更に、光スイッチ１４１と、光スイッチ１４２と、ＥＤＦ１６３とを追加し
（オ）
　また、
「光スイッチ１４１では、入力ポートＣＭが、光スイッチ１０９の出力ポートＣＭに接続され、光スイッチ１４１の出力ポートＦが、光スイッチ１４２の入力ポートＨに接続され、光スイッチ１４１のポートＥが、ＥＤＦ増設ポートＸ２の光コネクタ１５１に接続され、光スイッチ１４２の入力ポートＧが、ＥＤＦ増設ポートＸ２の光コネクタ１５２と接続され、光スイッチ１４２の入力ポートＨが、光スイッチ１４１のポートＦと接続され、光スイッチ１４２の出力ポートＣＭが光カプラ１１３の入力端に接続され（【００４４】）」との記載において、上記（ウ）ｂと同様に、ＥＤＦ増設ポートＸ２の接続関係をＥＤＦ１６３の接続関係に置き換えると、
「
光スイッチ１４１では、入力ポートＣＭが、光スイッチ１０９の出力ポートＣＭに接続され、光スイッチ１４１の出力ポートＦが、光スイッチ１４２の入力ポートＨに接続され、光スイッチ１４１のポートＥが、ＥＤＦ１６３の入力端に接続され、光スイッチ１４２の入力ポートＧが、ＥＤＦ１６３の出力端と接続され、光スイッチ１４２の入力ポートＨが、光スイッチ１４１のポートＦと接続され、光スイッチ１４２の出力ポートＣＭが光カプラ１１３の入力端に接続され
イ
　以上の記載から、引用文献１には、図３に示す光ファイバ増幅装置について、以下の発明が記載されているものと認められる（以下「引用発明」という。）。
「光ファイバ増幅装置２であって、（【００４０】）
　光コネクタ１０１から信号光を入力し、ＥＤＦ１０３（またはＥＤＦ１０３とＥＤＦ１３３）により信号光を増幅し、この増幅された信号光を光コネクタ１０２から出力し、（【００１８】）
　ＥＤＦ１０３とＥＤＦ１３３は信号光を光直接増幅する媒体であり、（【００１８】）
　励起レーザであるＬＤ１０６及びＬＤ１０７は、ＥＤＦ１０３に励起光を注入すると共に、ＥＤＦ１３３に励起光を注入し、（【００１８】）
　光スイッチ１０８及び光スイッチ１０９は、信号光および励起光の伝送方向を切り替えるための光スイッチであって、（【００１９】）
　光スイッチ１０８は、１つの入力ポートＣＭと２つの出力ポートＡ、Ｂとを有し、入力ポートＣＭから入力された信号光を２つの出力ポートＡ、Ｂの内のいずれかのポートを選択して出力する、１×２の光インターフェースを有する光スイッチであり、また、光スイッチ１０９は、２つの入力ポートＣ、Ｄと１つの出力ポートＣＭとを有し、２つの入力ポートＣ、Ｄの内のいずれかのポートから入力される信号光を選択して１つの出力ポートＣＭに出力する、２×１の光インターフェースを有する光スイッチであり、（【００２１】）
　この光スイッチ１０８の入力ポートＣＭにＥＤＦ１０３の出力端が接続され、光スイッチ１０８の出力ポートＡは、ＥＤＦ１３３の入力端に接続され、光スイッチ１０８の出力ポートＢは、光スイッチ１０９の入力ポートＤに接続され、光スイッチ１０９の入力ポートＣは、ＥＤＦ１３３の出力端に接続され、光スイッチ１０９の入力ポートＤは、光スイッチ１０８の出力ポートＢに接続され、（【００２２】）
　光スイッチ１０８はＥＤＦ１０３から入力される信号光を、ＥＤＦ１３３の入力端に出力するか、またはＥＤＦ１３３を迂回して光スイッチ１０９のポートＤに出力するかを選択し、光スイッチ１０９は、ＥＤＦ１３３の出力端から入力される信号光、または光スイッチ１０８のポートＢから入力される信号光のいずれか選択し、光コネクタ１０２から出力するものであり、（上記ア（ウ））
　更に、光スイッチ１４１と、光スイッチ１４２と、ＥＤＦ１６３とを追加し、（上記ア（エ））
　光スイッチ１４１では、入力ポートＣＭが、光スイッチ１０９の出力ポートＣＭに接続され、光スイッチ１４１の出力ポートＦが、光スイッチ１４２の入力ポートＨに接続され、光スイッチ１４１のポートＥが、ＥＤＦ１６３の入力端に接続され、光スイッチ１４２の入力ポートＧが、ＥＤＦ１６３の出力端と接続され、光スイッチ１４２の入力ポートＨが、光スイッチ１４１のポートＦと接続され、光スイッチ１４２の出力ポートＣＭが光カプラ１１３の入力端に接続され、（上記ア（オ））
　光カプラ１１３は光コネクタ１０２に接続され、（図１及び図３、上記ア（イ））
　ＥＤＦ１０３と、ＥＤＦ１３３と、ＥＤＦ１６３とがあたかも直列に接続される構成となり、これらのＥＤＦ１０３、１３３、１６３のそれぞれにＬＤ１０６及びＬＤ１０７から励起光を注入し、ＥＤＦ１０３と、ＥＤＦ１３３と、ＥＤＦ１６３とを用いて信号光を増幅し、（【００４５】）
　ＬＤ１０６は光カプラ１１２を介してＥＤＦ１０３に接続され、ＬＤ１０７は光カプラ１１３を介して光スイッチ１４２に接続されるものである（【図３】、上記ア（イ））
光ファイバ増幅装置２。」
（２）引用例２：国際公開第２００５／０１８０６５号
　原査定において引用され、本願の原出願の優先日前に外国において頒布された国際公開第２００５／０１８０６５号（以下「引用文献２」という。）には、第１図とともに以下の記載がある。
「図１は、本発明の実施形態にかかる光増幅装置１の構成を示す図である。光増幅装置１は、入射した光を増幅して出射する。
　光増幅装置１は、第一前置光ファイバ増幅器１２、第一前置励起光源１４、第一ＷＤＭカプラ（第一前置励起光導入手段）１６、第一後置光ファイバ増幅器１８、第二前置光ファイバ増幅器２２、第二前置励起光源２４、第二ＷＤＭカプラ（第二前置励起光導入手段）２６、第二後置光ファイバ増幅器２８、後置励起光源３４、後置ＷＤＭカプラ（後置励起光導入手段）３６、光アイソレータ４２、４４、４６、光スイッチ（光接続手段）５０を備える。
・・・（中略）・・・
　第二前置光ファイバ増幅器２２は、端子５１と端子５４とが接続されている場合に、第一後置光ファイバ増幅器１８の出射光を増幅して出射する。第二前置光ファイバ増幅器２２は、例えば、Ｅｒ（Ｅｒｂｉｕｍ：エルビウム）添加光ファイバである。
・・・（中略）・・・
　第二後置光ファイバ増幅器２８は、第二前置光ファイバ増幅器２２の出射光を増幅して出射する。第二後置光ファイバ増幅器２８は、例えば、Ｅｒ（Ｅｒｂｉｕｍ：エルビウム）添加光ファイバである。ただし、第二後置光ファイバ増幅器２８の励起光は、後置励起光源３４（端子５２と端子５３とが接続されている場合）からもたらされる。
・・・（中略）・・・
　光スイッチ５０は、（１）端子５１と端子５２とを接続する、あるいは（２）端子５１と端子５４とを接続すると共に、端子５２と端子５３とを接続する。
　（１）端子５１と端子５２とを接続する場合、第一後置光ファイバ増幅器１８の出射側と、後置ＷＤＭカプラ３６とが接続される。
　（２）端子５１と端子５４とを接続すると共に、端子５２と端子５３とを接続する場合、第一後置光ファイバ増幅器１８の出射側と、第二前置光ファイバ増幅器２２の入射側とが接続されると共に、後置ＷＤＭカプラ３６と第二後置光ファイバ増幅器２８の出射側とが接続される。
・・・（中略）・・・
　後置励起光源３４は、第三励起光を生成し、第三励起光は後置ＷＤＭカプラ３６により、端子５２と端子５１とを介して、第一後置光ファイバ増幅器１８に導入される。これにより、第一後置光ファイバ増幅器１８は励起され、第一前置光ファイバ増幅器１２の出射光を増幅できる。
・・・（中略）・・・
　第二前置励起光源２４は、第二前置光ファイバ増幅器２２に与える第二励起光を生成する。第二励起光は、第二ＷＤＭカプラ２６により、第二前置光ファイバ増幅器２２に導入される。第二励起光は、第二前置光ファイバ増幅器２２の出射側から入射側へと透過していき、さらに端子５４と端子５１とを介して（この際、光スイッチ５０の挿入損失を受ける）、第一後置光ファイバ増幅器１８に導入される。これにより、第一後置光ファイバ増幅器１８は励起され、第一前置光ファイバ増幅器１２の出射光を増幅できる。さらに、第二前置光ファイバ増幅器２２は励起され、第一後置光ファイバ増幅器１８の出射光を増幅できる。」
　ここで、図１は以下のものである。
５　対比
（１）本願発明と引用発明とを対比する。
ア　　本願発明の「光増幅器であって、」との特定事項について
（ア）引用発明の「光ファイバ増幅装置２」は、本願発明の「光増幅器」に相当する。
（イ）上記（ア）によれば、引用発明は本願発明の「光増幅器であって、」との特定事項を備えることは、明らかである。
イ　本願発明の「入力ポートと」との特定事項について
（ア）引用発明の「光コネクタ１０１」は本願発明の「入力ポート」に相当する。
（イ）上記（ア）によれば、引用発明は本願発明の「入力ポートと」との特定事項を備えることは、明らかである。
ウ　本願発明の「前記入力ポートに光学的に結合されたバークロススイッチと、」との特定事項について
（ア）引用発明において、「光コネクタ１０１」は、「ＥＤＦ１０３」を介して「光スイッチ１０８」及び「光スイッチ１０９」に接続されている。したがって、引用発明において「光スイッチ１０８」及び「光スイッチ１０９」は、「光コネクタ１０１」に光学的に結合されている。
（イ）引用発明の「光スイッチ１０８」及び「光スイッチ１０９」は、光信号を「ＥＤＦ１３３」に入力する光路と、「ＥＤＦ１３３」を迂回する光路とを切り換えるものであるから、光路切換機構である。
（ウ）よって、本願発明と引用発明とは「前記入力ポートに光学的に結合された光路切換機構と、」で一致する。
エ　本願発明の「前記バークロススイッチの第1のポートと出力ポートとの間に光学的に結合された第1の利得段と、」との特定事項について
（ア）引用発明の「光コネクタ１０２」は本願発明の「出力ポート」に相当する。
（イ）引用発明において、「光スイッチ１０９の出力ポートＣＭ」と「光コネクタ１０２」との間には、「光スイッチ１４１、ＥＤＦ１６３、光スイッチ１４２」が備わっている。ここで、引用発明の「光スイッチ１４１、ＥＤＦ１６３、光スイッチ１４２」は、本願発明の「第１の利得段」に相当する。したがって、引用発明は、光スイッチ１０９の出力ポートＣＭと光コネクタ１０２との間に、第１の利得段を備える。
（ウ）本願発明の「前記バークロススイッチの第1のポート」は「第1の利得段」を介して「出力ポート」に光学的に接続されている。そして、引用発明の「光スイッチ１０９の出力ポートＣＭ」も、「光スイッチ１４１、ＥＤＦ１６３、光スイッチ１４２」（本願発明の「第1の利得段」に相当。）を介して「光コネクタ１０２」（本願発明の「出力ポート」に相当。）に光学的に接続されている。ここで、「光スイッチ１０９」は上記ウ（イ）のとおり光路切換機構の一部であり、「光スイッチ１０９の出力ポートＣＭ」は光路切換機構のポートのうち「第1の利得段」に接続されているポートであるといえる。
（エ）よって、本願発明と引用発明とは「光路切換機構のポートのうち第1の利得段に接続されているポートと出力ポートとの間に光学的に結合された第1の利得段と、」で一致する。
オ　本願発明の「前記バークロススイッチの第2のポートと第3のポートとの間に光学的に結合された二次利得段であって、前記二次利得段は、アイソレータの周囲に結合された、２つのポンプ波長WDMを含むポンプバイパス構造を具備する、二次利得段と、」との特定事項について
（ア）引用発明において、「光スイッチ１０８のポートＡ」は、「ＥＤＦ１３３の入力端」に接続され、「光スイッチ１０９のポートＣ」は、「ＥＤＦ１３３の出力端」に接続される。ここで、「光スイッチ１０８」及び「光スイッチ１０９」は上記ウ（イ）のとおり光路切換機構である。
（イ）そして、引用発明における「ＥＤＦ１３３」は、本願発明の二次利得段に相当するとともに、光路切換機構により、信号光を入力するか、迂回するか選択されている。また、「ＥＤＦ１３３の入力端」及び「ＥＤＦ１３３の出力端」はいずれも光路切換機構に接続されている。
（ウ）したがって、本願発明と引用発明とは「光路切換機構のポートのうち二次利得段の入力端に接続するポートと二次利得段の出力端に接続するポートとの間に光学的に結合された二次利得段と、」で一致する。
カ　本願発明の「前記第1の利得段は、前記第1のポートと光学的に接続された第1の利得平坦化フィルタ（GFF）を具備し、」との特定事項について
　引用発明は上記の特定事項を備えていない。
キ　本願発明の「前記バークロススイッチのバー状態では、前記二次利得段がバイパスされ、クロス状態では、前記二次利得段および前記第1の利得段が入力光ビームに適用され」との特定事項について
（ア）引用発明の光路切換機構（光スイッチ１０８及び光スイッチ１０９）は、光スイッチ１０８が「ＥＤＦ１３３を迂回して光スイッチ１０９のポートＤに出力」し、光スイッチ１０９が「光スイッチ１０８のポートＢから入力される信号」を取得する場合、信号光はＥＤＦ１３３（本願発明の「二次利得段」に相当。）を迂回する状態（以下「第１の状態」という。）となる。
（イ）また、光スイッチ１０８がＥＤＦ１３３の入力端に入力し、光スイッチ１０９がＥＤＦ１３３の出力端から入力される信号光を取得する場合、信号光は光スイッチ１０８、ＥＤＦ１３３（二次利得段）、光スイッチ１０９、光スイッチ１４１（第１の利得段）に、順に入力される状態（以下「第２の状態」という。）となる。
（ウ）ここで、第２の状態は、本願発明でいう「二次利得段」及び「第１の利得段」が入力光ビームに適用されるものである。
（エ）したがって、本願発明と引用発明とは「光路切換機構が、第１の状態では二次利得段がバイパスされ、第２の状態では二次利得段および第1の利得段が入力光ビームに適用され」で一致する。
ク　本願発明の「前記バークロススイッチが、後続の利得段の希土類ドープファイバをポンプするために残余ポンプ光が使用され得るように、ポンプ光と光信号の両方を通過させるように構成されている」との特定事項について
（ア）引用発明は「ＥＤＦ１０３、１３３、１６３のそれぞれにＬＤ１０６及びＬＤ１０７から励起光を注入し、ＥＤＦ１０３と、ＥＤＦ１３３と、ＥＤＦ１６３とを用いて信号光を増幅する（【００４５】）」ものである。そして、ＥＤＦ１０３とＥＤＦ１３３とは、光スイッチ１０８を介して接続されている。また、ＥＤＦ１３３とＥＤＦ１６３とは、光スイッチ１０９と光スイッチ１４１を介して接続されている。
（イ）そうすると、ＬＤ１０６から出射した励起光がＥＤＦ１０３と、ＥＤＦ１３３と、ＥＤＦ１６３とに注入されるためには、光スイッチ１０８、光スイッチ１０９、光スイッチ１４１が励起光を通過させる必要があると解するのが自然である。このことは、ＬＤ１０７についても同様である。
（ウ）仮に、上記（イ）の解釈が成り立たないとしても、ＥＤＦ１０３、１３３、１６３という３つの増幅器に対して、ＬＤ１０６及びＬＤ１０７という２つの励起光源から励起光を照射しており、増幅器の数は励起光源の数より多いのであるから、少なくともいずれかの増幅器は励起光源を共有しているはずであり、そうであるならば、励起光源を共有している増幅器の一方は、励起光源を共有している増幅器の他方に入力されたポンプ光の残余のポンプ光を使用しているはずということにもなる。そして、その際、光スイッチ１０８、光スイッチ１０９、光スイッチ１４１は、励起光を通過させる必要があると認められる。
（エ）したがって、引用発明において、光スイッチ１０８、光スイッチ１０９、光スイッチ１４１は、励起光（本願発明の「ポンプ光」に相当。）と信号光（本願発明の「光信号」に相当。）の両方を通過させるものである。
（オ）よって、本願発明と引用発明とは、「光路切換機構が、後続の利得段の希土類ドープファイバに残余ポンプ光が使用され得るように、ポンプ光と光信号の両方を通過させるように構成されている」で共通する。
（２）以上から、本願発明と引用発明とは、以下の点で一致する。
「光増幅器であって、
　入力ポートと、
　入力ポートに光学的に結合された光路切換機構と、
　光路切換機構の第1のポートと出力ポートとの間に光学的に結合された第1の利得段と、
　光路切換機構の第2のポートと第3のポートとの間に光学的に結合された二次利得段と、
　光路切換機構が、第１の状態では二次利得段がバイパスされ、第２の状態では二次利得段および第1の利得段が入力光ビームに適用され
　光路切換機構が、後続の利得段の希土類ドープファイバをポンプするために残余ポンプ光が使用され得るように、ポンプ光と光信号の両方を通過させるように構成されている
　光増幅器。」
（３）一方、両者は以下の各点で相違する。
（相違点１）
　「光路切換機構の第1の利得段に接続されているポートと出力ポートとの間に光学的に結合された第1の利得段と」に用いられ、「光路切換機構の二次利得段の入力端に接続するポートと二次利得段の出力端に接続するポートとの間に光学的に結合された二次利得段と」に用いられ、「後続の利得段の希土類ドープファイバをポンプするために残余ポンプ光が使用され得るように、ポンプ光と光信号の両方を通過させるように構成されている」光路切換機構が、本願発明は「バークロススイッチ」であるのに対して、引用発明は光スイッチ１０８及び光スイッチ１０９からなる点。
（相違点２）
　本願発明は、「前記バークロススイッチのバー状態では、前記二次利得段がバイパスされ、クロス状態では、前記二次利得段および前記第1の利得段が入力光ビームに適用され」るものであるのに対して、引用発明は、「光路切換機構が、第１の状態では二次利得段がバイパスされ、第２の状態では二次利得段および第1の利得段が入力光ビームに適用され」るものの、「バークロススイッチ」の「バー状態」と「クロス状態」となる構成は備えない点。
（相違点３）
　本願発明は「前記二次利得段は、アイソレータの周囲に結合された、２つのポンプ波長WDMを含むポンプバイパス構造を具備する」のに対して、引用発明はそのような構成を備えていない点。
（相違点４）
　本願発明は「前記第1の利得段は、前記第1のポートと光学的に接続された第1の利得平坦化フィルタ（GFF）を具備」している一方、引用発明はそのような構成を備えていない点。
６　判断
（１）相違点１、２について、まとめて検討する。
ア　引用例２の「光スイッチ５０」について検討する。
（ア）上記４（２）で摘記した引用例２には「光スイッチ５０」が開示されており、ここで、「光スイッチ５０」は（１）バー状態と（２）クロス状態を切り換えることにより光路の切替を行う光スイッチ（本願発明における「バークロススイッチ」）である。
（イ）そして、（１）バー状態では「（１）端子５１と端子５２とを接続する場合、第一後置光ファイバ増幅器１８の出射側と、後置ＷＤＭカプラ３６とが接続される。」から、光信号は「第二前置光ファイバ増幅器２２及び第二後置光ファイバ増幅器２８」からなる増幅段を迂回する。
（ウ）さらに、（２）クロス状態では「（２）端子５１と端子５４とを接続すると共に、端子５２と端子５３とを接続する場合、第一後置光ファイバ増幅器１８の出射側と、第二前置光ファイバ増幅器２２の入射側とが接続されると共に、後置ＷＤＭカプラ３６と第二後置光ファイバ増幅器２８の出射側とが接続される。」から、光信号は「第二前置光ファイバ増幅器２２及び第二後置光ファイバ増幅器２８」からなる増幅段に入力される。
（エ）したがって、引用例２の「光スイッチ５０」は、（１）信号光が増幅段を迂回するバー状態と（２）信号光が増幅段に入力されるクロス状態と、を切り換えるものである。
イ　引用発明の「光路切換機構（光スイッチ１０８及び光スイッチ１０９）」を引用例２の「光スイッチ５０」に置き換えることを検討する。
（ア）引用例１には、「光スイッチ１０８及び光スイッチ１０９は、１×２及び２×１の光インターフェースを有する光スイッチで構成されているが、信号光の伝送方向を切り替えることが可能な構成な光スイッチであれば、どのような構成のものであってもよい」（【００２８】）と記載されているから、１×２及び２×１の光インターフェースを有する光スイッチ以外の光スイッチを用い得ることは明らかである。
（イ）そして、引用発明の「光スイッチ（光スイッチ１０８及び光スイッチ１０９）」と引用例２の「光スイッチ５０」とは、信号光が増幅段を迂回する状態と信号光が増幅段に入力する状態とを切り換えるという共通の機能を有している。
（ウ）したがって、引用発明において「光路切換機構（光スイッチ１０８及び光スイッチ１０９）」に換えて、引用例２の「光スイッチ５０」を採用することで、相違点１に係る構成を得ることは、当業者にとって容易に想到し得ることである。
（エ）そして、引用例２の光スイッチ５０は、上記アのとおり、（１）光信号が増幅段を迂回するバー状態と、（２）光信号が増幅段に入力するクロス状態とを切り換えるものであるから、引用発明において引用例２の光スイッチ５０を採用するならば、信号光が二次利得段をバイパスする状態をバー状態、信号光が二次利得段に入力される状態をクロス状態として実現するのが自然である。
（オ）よって、引用発明において引用例２の光スイッチ５０を採用することで、相違点２に係る構成を得ることは、当業者にとって容易に想到し得ることである。
ウ　引用発明の「光路切換機構（光スイッチ１０８及び光スイッチ１０９）」を引用例２の「光スイッチ５０」に置き換えた場合に、光路切換機構（光スイッチ５０）をポンプ光が通過するか検討する。
（ア）引用例２には「第二前置励起光源２４は、第二前置光ファイバ増幅器２２に与える第二励起光を生成する。第二励起光は、第二ＷＤＭカプラ２６により、第二前置光ファイバ増幅器２２に導入される。第二励起光は、第二前置光ファイバ増幅器２２の出射側から入射側へと透過していき、さらに端子５４と端子５１とを介して（この際、光スイッチ５０の挿入損失を受ける）、第一後置光ファイバ増幅器１８に導入される。これにより、第一後置光ファイバ増幅器１８は励起され、第一前置光ファイバ増幅器１２の出射光を増幅できる。さらに、第二前置光ファイバ増幅器２２は励起され、第一後置光ファイバ増幅器１８の出射光を増幅できる。」と記載されている。
（イ）上記（ア）の記載は、第二前置光ファイバ増幅器２２の出射側から入射側へと透過した第二励起光（本願発明でいう残余ポンプ光）は、光スイッチ５０の内部を通過し、第一後置光ファイバ増幅器１８（本願発明でいう後段の利得段）に導入されるという意味である。
（ウ）したがって、引用例２の光スイッチ５０は、出射光のみならず第二励起光（本願発明でいうポンプ光）を通過させるものであるから、本願発明でいう「前記バークロススイッチが、後続の利得段の希土類ドープファイバをポンプするために残余ポンプ光が使用され得るように、ポンプ光と光信号の両方を通過させるように構成されている」ものである。
（エ）そして、引用発明もまた、ＬＤ１０６から出射した励起光は光スイッチ１０８、光スイッチ１０９、光スイッチ１４１を通過することでＥＤＦ１０３と、ＥＤＦ１３３と、ＥＤＦ１６３とに注入されるものであるから（上記５（１）クを参照のこと。）、引用発明の光路切換機構（光スイッチ１０８及び光スイッチ１０９）を引用例２の光スイッチ５０に置き換えたならば、ＬＤ１０６から出射した励起光がＥＤＦ１０３と、ＥＤＦ１３３と、ＥＤＦ１６３とに注入されることを維持するために、バークロススイッチである光スイッチ５０を励起光が通過するように構成されるべきものである。
（オ）そうすると、引用発明の光路切換機構を、引用例２の光スイッチ５０に置き換えた場合は、光スイッチ５０を励起光と光信号の両方を通過するよう構成することは、当業者にとって自明な事項である。
（カ）したがって、引用発明に引用例２の光スイッチを採用した場合に、本願発明に係る「前記バークロススイッチが、後続の利得段の希土類ドープファイバをポンプするために残余ポンプ光が使用され得るように、ポンプ光と光信号の両方を通過させるよう」な構成を得ることは、当業者にとって自明な事項である。
（２）相違点３について検討する。
ア　「前段の希土類ドープファイバと後段の希土類ドープファイバとの間にアイソレータを設けることにより、前段の希土類ドープファイバに後段の希土類ドープファイバによって発生した自然放出光を伝搬させないことで、雑音指数を小さくすること」（以下、「アイソレータの周知技術」という。）及び「希土類（エルビウム）ドープファイバを備えた光増幅器において、アイソレータの周囲に結合された、２つのポンプ波長WDMを含むポンプバイパス構造」を備える（以下、「ポンプバイパス構造」の周知技術という。）ことは、いずれも、以下の周知例に記載されているように、当業者に周知の事項である。
（ア）周知例３：特開２００３−２９８１５７号公報
　原査定に引用され、本願の原出願の優先日前に日本国内において頒布された周知例３には、図３とともに以下の記載がある。
「【００１８】第２波長選択結合器３５０は、第１エルビウム添加光ファイバ３４０から入力される光信号および残余ポンピング光を分離し、分離した分離光信号を第２アイソレータ３６０に出力し、分離した残余ポンピング光は第３波長選択結合器３７０に出力する。第２アイソレータ３６０は、第２波長選択結合器３５０から入力された光信号をそのまま通過させ、その逆方向から入力される光信号は遮断する。利得平坦化フィルタ５００は中間フィルタであって、第２アイソレータ３６０から入力された光信号の利得を平坦化する。」
　ここで、図３は以下のものである。
（イ）周知例Ａ：特開平６−８５３７０号公報
　本願の優先日前に日本国内において頒布された周知例Ａには、図１とともに以下の記載がある。
「【００１７】ところで、信号光入力側の光増幅ファイバ６によって発生した自然放出光は、信号光と同じ波長帯なので、合分波器９、光アイソレータ１１および合分波器１０を介して信号光出力側の光増幅ファイバ７に伝搬されて信号光とともに増幅されて出力されるが、信号光出力側の光増幅ファイバ７によって発生した自然放出光は、同じく信号光と同じ波長帯なので、合分波器１０を通過して光アイソレータ１１によって遮断され、信号光入力側の光増幅ファイバ６へは伝搬しない。
【００１８】本実施例の光ファイバ増幅器では、信号光入力側の光増幅ファイバ６による増幅と信号光出力側の光増幅ファイバ７による増幅との２段の増幅を行っているので、全体の雑音指数を決定する度合が大きい信号光入力側の光増幅ファイバ６に信号光出力側の光増幅ファイバ７によって発生した自然放出光を伝搬させないことは、全体の雑音指数を小さくする上で大きな役割を果たす。」
　ここで、図１は以下のものである。
（ウ）周知例Ｂ：米国特許第６４２４４５７号明細書
　本願の原出願の優先日前に外国において頒布された周知例Ｂには、ＦＩＧ．３とともに以下の記載がある。
「A pump coupler such as a wavelength divisionmultiplexing coupler  38  or any other suitable coupler may be used tocouple pump power from pump  36  into coil40 . Residual pump power from coil40  may be separated from the mainfiber path using coupler  42  and provided to coil  50  viabypass fiber  48  and coupler46 . An isolator  44  may be used to prevent backwards-propagatinglight due to spontaneous emission in coil50  from adversely affecting thenoise figure in coil  40 . 」（４欄２５〜３３行）
（日本語訳：ポンプ36からのポンプパワーをコイル40に結合するために、波長分割多重カプラ38などのポンプカプラまたは他の適切なカプラを使用することができる。コイル40からの残留ポンプ電力は、カプラ42を用いて主ファイバ経路から分離され、バイパスファイバ48およびカプラ46を介してコイル50に供給される。コイル50における自然放出による後方伝播光がコイル40におけるノイズ指数に悪影響を及ぼすのを防止するために、アイソレータ44を使用することができる。）
　ここで、ＦＩＧ．３は以下のものである。
イ　引用発明に上記アイソレータの周知技術を採用することを検討する。
（ア）
　引用文献１の【００３２】には「また、ＥＤＦ１０３及び増設ＥＤＦモジュールＺ１内のＥＤＦ１３３の前後に、信号光の信号品質を維持するために光利得等化器（ＧＥＱ）、光減衰器（ＶＯＡ）、光利得傾斜器（ＶＡＳＫ）、光アイソレータ等の光デバイスを接続する構成とすることもできる。」と記載されている。
（イ）
　そして、アイソレータの周知技術における、「前段の希土類ドープファイバと後段の希土類ドープファイバ」は、引用発明において、ＥＤＦ１０３とＥＤＦ１３３（二次利得段）が当てはまる。
（ウ）
　したがって、引用発明において、ＥＤＦ１０３と二次利得段との間にアイソレータを設けることにより、ＥＤＦ１０３に二次利得段によって発生した自然放出光を伝搬させないことで、雑音指数を小さくすることは、当業者にとって容易に想到し得たことである。
ウ　引用発明にポンプバイパス構造の周知技術を採用することを検討する。
（ア）
　引用発明は、上記５（１）クのとおり、ＬＤ１０６を出射した励起光が、ＥＤＦ１０３、ＥＤＦ１３３、ＥＤＦ１６３と照射されるものであるから、上記イのとおり、ＥＤＦ１０３とＥＤＦ１３３（二次利得段）の間にアイソレータを備えた場合には、アイソレータを励起光がバイパスするよう、ポンプバイパス構造の周知技術を採用することは、当業者にとって容易に想到し得たことである。
（イ）
　したがって、引用発明において、ＥＤＦ１０３と二次利得段との間にアイソレータを設ける際に、ポンプ光がアイソレータをバイパスするために、アイソレータの周囲に結合された、２つのポンプ波長WDMを含むポンプバイパス構造を具備することは、当業者にとって容易に想到し得たことである。
エ
　したがって、引用発明において、アイソレータの周知技術及びポンプバイパス構造の周知技術を採用することで、相違点３に係る構成を得ることは、当業者にとって容易に想到し得たことである。
（３）相違点４について検討する。
ア
　希土類（エルビウム）ドープファイバにおいて、利得平坦化フィルタ（GFF）を具備することは、下記のとおり、周知技術である。
（ア）周知例３：特開２００３−２９８１５７号公報
　周知例３には、上記（２）ア（ア）に加えて、図１とともに以下の記載がある。
「【０００４】図１は、従来の利得平坦化された光ファイバ増幅器の構成を示す図であり、図２は、図１の利得平坦化された光ファイバ増幅器に採用された第１利得平坦化フィルタまたは第２利得平坦化フィルタの損失曲線を示すものである。図１に示すように、光ファイバ増幅器は第１〜第３アイソレータ１１０、１５０、２１０、第１ポンピング光源１２０および第２ポンピング光源１９０、第１波長選択結合器１３０および第２波長選択結合器２００、第１エルビウム添加光ファイバ(Erbium doped optical fiber)１４０および第２エルビウム添加光ファイバ１８０、第１利得平坦化フィルタ（ＧＦＦ:Gain Flattening Filter）１６０および第２利得平坦化フィルタ１７０から構成される。」
　ここで、図１は以下のものである。
（イ）周知例Ｂ：米国特許第６４２４４５７号明細書
　周知例Ｂには、上記（２）ア（ウ）に加えて、以下の記載がある。
「Gain equalization filter  56  maybe used to smooth or flatten the gain spectrum of amplifier  18  to compensatefor the natural gain spectrum of coils40 ,  50 , and  62 . 」
（日本語訳：利得等価フィルタ５６は、コイルの４０，５０，６２の固有利得スペクトルを補償し、増幅器１８の利得スペクトルをスムーズ又は平坦にするために用いることができる。）
（ウ）周知例Ｃ：特開２００３−４６１７４号公報
　本願の原出願の優先日前に日本国内において頒布された周知例Ｃには、以下の記載がある。
「【００１７】・・・（中略）・・・図６は、ＥＤＦに対して利得等化器４１を挿入してＥＤＦＡを構成した例である。この例では、利得等化器４１を挿入することによって、ＥＤＦによる利得を平坦化することができる。」
イ　引用発明に、利得平坦化フィルタ（GFF）を具備することを検討する。
　引用例１の【００３２】には「また、ＥＤＦ１０３及び増設ＥＤＦモジュールＺ１内のＥＤＦ１３３の前後に、信号光の信号品質を維持するために光利得等化器（ＧＥＱ）、光減衰器（ＶＯＡ）、光利得傾斜器（ＶＡＳＫ）、光アイソレータ等の光デバイスを接続する構成とすることもできる。」と記載されているから、引用発明の二次利得段の後に、上記周知技術である利得平坦化フィルタを備えるよう構成することは、当業者にとって容易に想到し得ることである。
ウ
　したがって、引用発明において、上記周知技術に基づいて、相違点４に係る構成を得ることは、当業者にとって容易に想到し得たことである。
（４）以上検討したとおり、引用発明において、相違点１〜４に係る構成を備えることは、いずれも当業者にとって容易に想到し得たことである。
　したがって、本願発明は、周知技術を勘案して、引用発明及び引用例２に記載された技術並びに周知技術に基づいて当業者が容易に発明をすることができたものであるから、特許法第２９条第２項の規定により特許を受けることができない。
７　むすび
　以上のとおりであるから、他の請求項について検討するまでもなく、本願は拒絶すべきものである。
　よって、結論のとおり審決する。